(57)【要約】      （修正有）【課題】車の運転に支障が生じないよう、降雨時に車用サイドミラーに雨による水滴が付着しないようにする。【解決手段】車用サイドミラーボックス２の上部にひさし２２を接着剤２３で取り付け、雨降り時の水滴付着を防止する。このひさしは、サイドミラーボックス２の外部または内部に装着することができる。さらに一枚のひさしだけでなく、多段式折りたたみ式の扇状のひさし形状とすることもできる。その取り付けは、ゴムバンドまたは紐によることもできるし、ひさし部を車のサイドミラーボックスの形状に沿わせ、サイドミラーボックスにはめ込むこともできる。【選択図】図２
2010285134.tif 000002
【特許請求の範囲】
【請求項１】
車用サイドミラーの上部にひさしを設け  サイドミラーに雨の水滴が付着する事を防止する装置。
【発明の詳細な説明】
【技術分野】
【０００１】本発明は、車用サイドミラーの外装の上部とサイドに繋がるひさしに関する。
【背景技術】
【０００２】従来、車用サイドミラーは雨が降る時もミラーは外装のみで  雨の水滴が付着してもそのままであった。
【発明の概要】
【発明が解決しようとする課題】
【０００３】車用サイドミラーの外装部の上部にひさしを設け  雨による水滴がミラーに付着しないようにする事を目的としたものである。
【課題を解決するための手段】
【０００４】車用サイドミラーボックスのミラーに  雨の水滴が掛からないように  内部又外部にひさしを設け  水滴付着防止とさせることが出来る。
【本発明の効果】
【０００５】このように、サイドミラーボックスのひさし部を外装及び内部に装着することにより  雨の水滴付着を防止することが可能となり安全運転となる。
【図面の簡単な説明】
【図１】  図１はサイドミラーボックス内にひさし部を組み込んだ図である。
【図２】  図２図３図４はサイドミラーボックス外にひさし部を取り付けた図である。
【図５】  図５はひさし部をボックス内に収納しそのボックスをサイドミラーボックスの外に取り付けた図である。
【発明の実施するための形態】
【０００６】実施例の図１のサイドミラーボックス内に装着時は一枚のひさしだけではなく  多段式  折りたたみ式の扇状のひさし形状も良い。
【０００７】実施例の図１のサイドミラーボックス内のひさし部を外部に引出して装着している時  外部からの何らかの圧力が加わった時など  内部に軽く押し戻され  再度バネ等で復帰可能となる構造である。
【００８】実施例図５図６はひさし部を収納したケースをサイドミラーボックスの外装に取り付けた図である。
【００９】実施例図５の５１ケース内に５４のひさし部を設け  そのひさし部は５２のつまみを取り付け  そのつまみを前後に作動させる事により  ５３のひさしのようにケースからひさし部を出入りさせることが可能である。
【００１０】実施例図７は７１ひさし部に７２ゴムバンドまた紐を取り付けて装着した図である。
【００１１】実施例図８は８１ひさし部を車のサイドミラーボックスの形状に沿わせ  サイドミラーボックスにはめ込んだ図である。
【００１２】実施例図９は９１ひさし部を車の窓ガラス付近まで伸ばし  ひさしの９２先端部を窓ガラスの開閉に支障が無きよう  ガラスに接するようにフェルト又水滴防止用刷毛等を取り付け  ９５の運転者が雨の水滴で視界が悪くならないように取り付けた図である。
【符号の説明】１      車用サイドミラーボックス
１１    ハウジング
１２    ミラー
１３    ひさし
２      車用サイドミラーボックス
２１    ハウジング
２２    平ひさし
２３    接着剤
３      車用サイドミラーボックス
３１    波ひさし
３２    ひさし
４      車用サイドミラーボックス
５      車用サイドミラーボックス
５１    ひさし収納ボックス
５２    つまみ
５３    ひさし
５４    ひさし
６      車用サイドミラーボックス
６１    ひさし収納ボックス
７      車用サイドミラーボックス
７１    ひさし
７２    ひさし取り付けゴム
８      車用サイドミラーボックス
８１    ひさし
９      車用サイドミラーボックス
９１    ひさし
９２    フェルト
９３    車のガラス
９４    ビラー
９５    運転者
９６    車ボディー枠
９７    ミラー
９８    ミラーボックス
【図１】
2010285134.tif 000003
【図２】
2010285134.tif 000004
【図３】
2010285134.tif 000005
【図４】
2010285134.tif 000006
【図５】
2010285134.tif 000007
【図６】
2010285134.tif 000008
【図７】
2010285134.tif 000009
【図８】
2010285134.tif 000010
【図９】
2010285134.tif 000011
【手続補正書】
【提出日】平成22年9月13日(2010.9.13)
【手続補正１】
【補正対象書類名】明細書
【補正対象項目名】全文
【補正方法】変更
【補正の内容】
【発明の詳細な説明】
【技術分野】
【０００１】本発明は、車用サイドミラーの外装の上部とサイドに繋がるひさしに関する。
【背景技術】
【０００２】従来、車用サイドミラーは雨が降る時もミラーは外装のみで  雨の水滴が付着してもそのままであった。
【発明の概要】
【発明が解決しようとする課題】
【０００３】車用サイドミラーの外装部の上部にひさしを設け  雨による水滴がミラーに付着しないようにする事を目的としたものである。
【課題を解決するための手段】
【０００４】車用サイドミラーボックスのミラーに  雨の水滴が掛からないように  内部又外部にひさしを設け  水滴付着防止とさせることが出来る。
【本発明の効果】
【０００５】このように、サイドミラーボックスのひさし部を外装及び内部に装着することにより  雨の水滴付着を防止することが可能となり安全運転となる。
【図面の簡単な説明】
【図１】図１はサイドミラーボックス内にひさし部を組み込んだ断面図とひさしを部を外に出した断面図と  にひさし部を組み込んだ斜視図とひさしを部を外に出した斜視図である。
【図２】図２はサイドミラーボックスの断面図の外部にひさし部を取り付けた図と  その斜視図である。
【図３】図３はサイドミラーボックスの断面図であり  ひさし部に波板上の弾力性と強度を持たせた図と  その斜視図である。
【図４】図４は図３のサイドミラーボックスの断面図と同じであるが  ひさし部を上面から折り曲げ  波板上の弾力性と強度を更に持たせた図と  その斜視図である。
【図５】図５はサイドミラーボックスの上部に  ひさし部をボックス内に収納させたボックスを  サイドミラーボックスの上部に取り付けた収納状態の断面図と図と  ひさし部をボックスの外に出した時の断面図である。
【図６】図６は図５の斜視図であり  サイドミラーボックスの上部にひさし部をボックス内に収納させたボックスを  サイドミラーボックスの上部に取り付けた収納状態の斜視図と  ひさし部をボックスの外に出した時の斜視図である。
【図７】図７はサイドミラーボックスの外周にゴムバンド状の物で  サイドミラーボックス外周にひさし部を取り付けた断面図とその斜視図である。
【図８】図８はサイドミラーボックスの外周に  ひさし部を弾力性のあるプラスチックスでコの字型に成型し  サイドミラーボックス外周を挟むようにひさし部を取り付けた断面図とその斜視図である。
【図９】図９は車両の運転者から見た時の  窓越しでサイドミラボックスを見た図である  このサイドミラボックスに取り付けたひさし部は  せり出した長さが短いため  窓ガラスに水滴が付着し安いため  窓ガラス付近までひさし部を伸ばした状態の斜視図である。
【発明の実施するための形態】
【０００６】実施例の図１のサイドミラーボックス内に装着時は一枚のひさしだけではなく  多段式  折りたたみ式の扇状のひさし形状も良い。
【０００７】実施例の図１のサイドミラーボックス内のひさし部を外部に引出して装着している時  外部からの何らかの圧力が加わった時など  内部に軽く押し戻され  再度バネ等で復帰可能となる構造である。
【０００８】実施例図５図６はひさし部を収納したケースをサイドミラーボックスの外装に取り付けた図である。
【０００９】実施例図５の５１ケース内に５４のひさし部を設け  そのひさし部は５２のつまみを取り付け  そのつまみを前後に作動させる事により  ５３のひさしのようにケースからひさし部を出入りさせることが可能である。
【００１０】実施例図７は７１ひさし部に７２ゴムバンドまた紐を取り付けて装着した図である。
【００１１】実施例図８は８１ひさし部を車のサイドミラーボックスの形状に沿わせ  サイドミラーボックスにはめ込んだ図である。
【００１２】実施例図９は９１ひさし部を車の窓ガラス付近まで伸ばし  ひさしの９２先端部を窓ガラスの開閉に支障が無きよう  ガラスに接するようにフェルト又水滴防止用刷毛等を取り付け  ９５の運転者が雨の水滴で視界が悪くならないように取り付けた図である。
【符号の説明】１    車用サイドミラーボックス
１１  ハウジング
１２  ミラー
１３  ひさし
２    車用サイドミラーボックス
２１  ハウジング
２２  平ひさし
２３  接着剤
３    車用サイドミラーボックス
３１  波ひさし
３２  ひさし
４    車用サイドミラーボックス
５    車用サイドミラーボックス
５１  ひさし収納ボックス
５２  つまみ
５３  ひさし
５４  ひさし
６    車用サイドミラーボックス
６１  ひさし収納ボックス
７    車用サイドミラーボックス
７１  ひさし
７２  ひさし取り付けゴム
８    車用サイドミラーボックス
８１  ひさし
９    車用サイドミラーボックス
９１  ひさし
９２  フェルト
９３  車のガラス
９４  ビラー
９５  運転者
９６  車ボディー枠
９７  ミラー
９８  ミラーボックス
【手続補正２】
【補正対象書類名】図面
【補正対象項目名】全図
【補正方法】変更
【補正の内容】
【図１】
2010285134.tif 000012
【図２】
2010285134.tif 000013
【図３】
2010285134.tif 000014
【図４】
2010285134.tif 000015
【図５】
2010285134.tif 000016
【図６】
2010285134.tif 000017
【図７】
2010285134.tif 000018
【図８】
2010285134.tif 000019
【図９】
2010285134.tif 000020